(57)【要約】      （修正有）【課題】下半身伸ばしを自力で行えて、構造を単純にした下半身伸ばし具を提供する。【解決手段】踏み込み部分２を有する足ワク１に伸ばしたい足を通し、その後、任意の姿勢をとり、足ワクを取り付けた反対の足で、踏み込み部分２を押し伸ばせるようにした下半身伸ばし具。【選択図】図１
2005270608.tif 000002
【特許請求の範囲】
【請求項１】
足ワク（１）に、踏み込み部分（２）を設けた下半身伸ばし具。
【請求項２】
足ワク（１）に、踏み込み部分（２）を設け、足ワク（１）の内側に空気で膨らむ空気袋（４）がある下半身伸ばし具。
【請求項３】
開口部（６）を設けた足ワク（１）に、踏み込み部分（２）を設け，開口部（６）に締め付け具（８）を付けた下半身伸ばし具。
【請求項４】
足ワク（１）に、開閉部分（１０）を設けた請求項２の下半身伸ばし具。
【請求項５】
足ワク（１）と踏み込み部分（２）をシューズ（１２）等の履物に設けた下半身伸ばし具。
【請求項６】
踏み込み部分（２）を足ワク（１）と着脱可能にした請求項１〜５の下半身伸ばし具。
【請求項７】
踏み込み部分（２）に突起（１５）を設けた請求項１〜６の下半身伸ばし具。
【発明の詳細な説明】
【技術分野】
【０００１】  本発明は、固定された片足をもう片方の足で押し伸ばせるように構成された半身伸ばし具に関するものである。
【背景技術】
【０００２】  健康器具の中で、下半身伸ばしは、下半身の疲労回復や、腰痛、股関節痛、膝痛、足首痛、がに股、Ｏ脚の治療、対策、予防として病院、医院、治療所、等でも幅広く用いられている。
また、家庭等でも使えるようにと考案されたものもあるが、「特許文献１」の、ポンプを押さなければいけないように使用法がめんどうなものだったり、「特許文献２」の、足の重さで牽引力を得るために牽引力の調整が難しいものだったり、「特許文献３」の、逆さ吊りにならなければいけないような危険をともなうものだったり、「特許文献４」の大掛かりなため設置スペースが必要となるため、使用場所が限られるものだったり、又、安価で用意できるものが少ない、といった問題がある。
【特許文献１】特開２００３−１９９７７７
【特許文献２】特開２０００−３３３９７９
【特許文献３】実用新案登録番号第３０２１８２４号
【特許文献４】特開２００３−６２７
【発明の開示】
【発明が解決しようとする課題】
【０００３】  解決しようとする問題点は、従来の下半身を伸ばす道具は、牽引に外力を用い、構造が複雑という点である。
【課題を解決するための手段】
【０００４】  本発明は、構造を単純にするべく下半身伸ばしを自力で行えるようにするために、固定した片足をもう片方の足で押し伸ばせるように構成することを最も主要な特徴とする。
【発明の効果】
【０００５】  本発明の下半身伸ばし具は、自分の足の力で伸ばせる為、簡単に使用でき、また牽引力の調整も容易であり、安全な姿勢で行える。また単純な構造のため軽量コンパクトであり結果、収納性携帯性に優れ使用できる場所が広がる。そして単純な構造ゆえに、安価にて提供できる。
【発明を実施するための最良の形態】
【０００６】  本発明は、下半身伸ばしをを自力で行えて構造を単純にした下半身伸ばし具を提供するという目的を実現した。
【実施例１】
【０００７】  図１は、本発明の請求項１の使用時の側面図であり、図２は、本発明の請求項１の１実施例の斜視図である。【０００８】  １５ｃｍ程の長さの棒状の踏み込み部分（２）を持つ、足を通す事の可能な大きさの筒状の足ワク（１）を、足で押されても破損や変形しない強度を持つプラスチックで一体形成し、その内側にスポンジ製のクッション（３）を貼った。【０００９】    足ワク（１）の材料はプラスチック以外にも、足で押される事に耐えうる強度があれば金属、木材、石膏、ゴム等でも可能である。【００１０】  本発明は、以上のような構造でこれを使用する際は、足ワク（１）に伸ばしたい側の足を通し、  その後、横になる、腰を下ろす、椅子に腰掛ける、等任意の姿勢をとり、足ワク（１）を取り付けた反対側の足で、踏み込み部分（２）を足先方向へ押すと、足ワク（１）が取り付けられた側の、足首、膝、股関節、そして腰が伸ばされる。
【実施例２】
【００１１】  図３は本発明の請求項２の１実施例の斜視図である。【００１２】  １５ｃｍ程の長さの棒状の踏み込み部分（２）を持つ、足を通す事の可能な大きさの筒状の足ワク（１）を、足で押されても破損や変形しない強度を持つプラスチックで一体形成し、その内側に厚手のビニール素材で作られた、空気を入れると膨らむ空気袋（４）を貼った。【００１３】  足ワク（１）の材料は、プラスチック以外にも足で押される事に耐えうる強度を持てば金属、木材、石膏、ゴム等でも可能である。【００１４】  本発明は、以上のような構造でこれを使用するときは、空気袋（４）がしぼんだ状態の足ワク（１）に伸ばしたい側の足を通し、空気袋（４）に空気入れ口（５）に空気を入れることによって足に密着させる。【００１５】  その後、横になる、腰を下ろす、椅子に腰掛ける、等任意の姿勢をとり、足ワク（１）を取り付けた反対側の足で、踏み込み部分（２）を足先方向へ押すと、足ワク（１）を取り付けた側の足首、膝、股関節、そして腰が伸ばされる。【００１６】  この実施例２は、空気袋（４）で足に密着出来る為、結果牽引力が高まるメリットがある。
【実施例３】
【００１７】  図４は、本発明の請求項３の１実施例の斜視図である。【００１８】  １５ｃｍほどの長さの棒状の踏み込み部分（２）を持ち、足首の後ろ側からかかとにフィットする形と開口部（６）をもたせた足ワク（１）を、足で押されても破損や変形しない強度を持つプラスチックで一体形成し、開口部穴（７）を開口部（６）の両側にあけ、そこにマジックテープの締め付け具（８）を通し、足ワク（１）の内側に密着性向上と足の痛みを防止する為に、スポンジ製のクッション（３）を貼った。【００１９】  足ワク（１）の材料は、プラスチック以外にも、足で押される事に耐えうる強度をもてば、金属、木材、石膏、ゴム等でも可能であるし、また、大量生産する際には開口部穴（７）が空いている型を作ってからプラスチック等を流し込んで作ったほうがコストは抑えられる。【００２０】  本発明は、以上のような構造でこれを使用するときは、締め付け具（８）をゆるめた状態の足ワク（１）を伸ばしたい側の足に当て、締め付け具（８）を締め付けることによって、足に密着させる。【００２１】  その後、横になる、腰を下ろす、椅子に腰掛ける、等任意の姿勢をとり、足ワク（１）を取り付けた反対側の足で、踏み込み部分（２）を足先方向へ押すと、足ワク（１）を取り付けた側の、足首、膝、股関節、そして腰が伸ばされる。【００２２】  この実施例３は、開口部（６）が有るため足ワク（１）の足への着脱が容易であり、足ワク（１）を足にフィットした形状に形成できそして、締め付け具（８）で足に密着できる為、結果牽引力が高まるメリットがある。
【実施例４】
【００２３】  図５は本発明の請求項４の１実施例の斜視図である。【００２４】  １５ｃｍ程の長さの棒状の踏み込み部分（２）を持ち、足首、かかと、足の甲にフィットする形と開口部（６）をもたせた足ワク（１）を、足で押されても破損や変形しない強度を持つプラスチックで一体形成し、開口部穴（７）をあけ、その後足ワク（１）をかかと部分で左右に分割するように切断し、開閉部穴（１０）をあけ、そこにマジックテープの開閉部つなぎ具（１１）を通し、分割した足ワク（１）をつないだ。【００２５】  そして、開口部穴（７）にマジックテープの締め付け具（８）を通し、足ワク（１）の内側に密着性向上と足の痛みを防止する為に、スポンジ製のクッション（３）を貼った。【００２６】  足ワク（１）の材料は、プラスチック以外にも足で押される事に耐えうる強度を持てば金属、木材、石膏、ゴム等でも可能であるし、大量生産する際にはあらかじめ、開口部（６）と開口部穴（７）と開閉部穴（１０）があいて、開閉部（９）で分割された型を作ってからプラスチック等を流し込んで作ったほうがコストは抑えられる。【００２７】  本発明は、以上のような構造でこれを使用するときは、締め付け具（８）をゆるめ、開閉部（９）で左右に開いた状態の足ワク（１）を伸ばしたい側の足にはめ、締め付け具（８）を締め付けることによって、足に密着させる。【００２８】  その後、横になる、腰を下ろす、椅子に腰掛ける、等任意の姿勢をとり、足ワク（１）を取り付けた反対側の足で、踏み込み部分（２）を足先方向へ押すと、足ワク（１）を取り付けた側の、足首、膝、股関節、そして腰が伸ばされる。【００２９】  この実施例４は開閉部（９）がある為、足ワク（１）の足への着脱がさらに容易になり、また足ワク（１）の形を足の甲部分にまでフィットする形状と出来る為、足への密着性がさらに高まり、結果牽引力が高まるメリットがある。
【実施例５】
【００３０】  図６は、本発明の請求項５の１実施例の斜視図である。【００３１】  １５ｃｍ程の長さを持つ棒状の踏み込み部分（２）を持ちシューズ（１２）の足首、かかと、底枠の部分に合わさる形状を持つ、足ワク（１）をプラスチックで一体形成し、シューズ（１２）に接着した。【００３２】  足ワク（１）の材料はプラスチック以外にも足で押される事に耐えうる強度を持てば、金属、木材、石膏、ゴム等でも可能であるし、あらかじめシューズ（１２）等の履物の形として形成する事も可能である。【００３３】  本発明は、以上のような構造でこれを使用するときは、伸ばしたい側の足にシューズ（１２）を履き、靴紐で足に密着させる。【００３４】  その後、横になる、腰を下ろす、椅子に腰掛ける、等任意の姿勢をとり、シューズ（１２）を取り付けた反対側の足で、踏み込み部分（２）を足先方向へ押すとシューズ（１２）を履いた側の、足首、膝、股関節、そして腰が牽引される。【００３５】  この実施例５はシューズ（１２）等履物が必要な分、生産コストはかかるが、足に接する面が広く出来るメリットがある。
【実施例６】
【００３６】  図７は、請求項６を請求項１の下半身伸ばし具に用いた際の上面図である。【００３７】  請求項１〜５の下半身伸ばし具において、踏み込み部分（２）と足ワク（１）を一体形成せず、足ワク（１）に雄ネジ（１３）、踏み込み部分（２）に雌ネジ（１４）を設けた形でそれぞれ形成した。【００３８】  こうすると、使用時以外は踏み込み部分（２）を取り外せるため、収納性、携帯性が良くなる。
【実施例７】
【００３９】  図８は、請求項７を請求項１の下半身伸ばし具に用いた際の斜視図である。【００４０】  請求項１〜６の下半身伸ばし具において、踏み込み部分（２）の表面を、突起（１５）がある形で形成した。【００４１】  こうすると、使用時に踏み込んでいる側の足も、つぼ押しマッサージの効果を得ることが出来る。
【図面の簡単な説明】
【００４２】
【図１】本発明の請求項１の使用時の側面図
【図２】本発明の請求項１の斜視図（実施例１）
【図３】本発明の請求項２の斜視図（実施例２）
【図４】本発明の請求項３の斜視図（実施例３）
【図５】本発明の請求項４の斜視図（実施例４）
【図６】本発明の請求項５の斜視図（実施例５）
【図７】本発明の請求項６を請求項１の下半身伸ばし具に用いた際の上面図
【図８】本発明の請求項７を請求項１の下半身伸ばし具に用いた際の斜視図
【符号の説明】
【００４３】  １  足ワク
２  踏み込み部分
３  クッション
４  空気袋
５  空気入れ口
６  開口部
７  開口部穴
８  締め付け具
９  開閉部
１０  開閉部穴
１１  開閉部つなぎ具
１２  シューズ
１３  雄ネジ
１４  雌ネジ
１５  突起
【図１】
2005270608.tif 000003
【図２】
2005270608.tif 000004
【図３】
2005270608.tif 000005
【図４】
2005270608.tif 000006
【図５】
2005270608.tif 000007
【図６】
2005270608.tif 000008
【図７】
2005270608.tif 000009
【図８】
2005270608.tif 000010